(57)【特許請求の範囲】
【請求項１】
居室内の２方向の壁のコーナーに密接して取り付けられ、下面の吸い込みグリルより吸い込む空気を、エアフィルタを通して熱交換器に送って温度調節し、前記壁に沿う方向の前面の吹き出し口から吹き出す空気調和機において、
前記居室内の温度を検出するための温度センサを、前記熱交換器に背反するエアフィルタの一側に前記吸い込みグリルに近接して設け、
前記温度センサを、この温度センサのリード線が導出される電装品を収納した電源箱の下部に設置し、
前記温度センサの近傍で開口する空気流通穴を有して前記温度センサと前記電源箱とを被うカバーを配置し、
尚且つ前記温度センサを、その感熱部に続くリード線が挿入される複数の下方開口溝が対向配置され前記下方開口溝に掛け渡されたリード線を下から支持する支持部を有し電源箱に取り付けられたセンサホルダに保持固定したことを特徴とする空気調和機。
【発明の詳細な説明】
【０００１】
【発明の属する技術分野】
本発明は、居室内のコーナーに設置され冷房あるいは暖房を行う空気調和機に関するものである。
【０００２】
【従来の技術】
従来のこの種の空気調和機を図６および図７に示す。図６は空気調和機本体を居室内に設置した状態を示す斜視図、図７は同空気調和機本体の中央部の縦断面図である。
【０００３】
空気調和機本体５１は、居室内の天井Ｓと２方向の壁Ｗ１，Ｗ２のコーナーに密接して取り付けられており、下面に吸い込みグリル５２を有し、円弧状の側面部に吹き出し口５３を有している。５４はクロスフローファン、５５は熱交換器、５６は水受け皿である。クロスフローファン５４が駆動機（図示なし）により回転すると、吸い込みグリル５２から空気が吸入され、水受け皿５６の上方に設けられた熱交換器５５を経由して熱交換され、円弧状の吹き出し口５３へと流れ、送風が行なわれる。
【０００４】
５７は熱交換器５５の下側に設けられた整流板、５８は内部の接続配管、５９は風向変更装置、６０は電装品を納めた電源箱、６１は吸い込みグリル５２と水受け皿５６の間に設けられたエアフィルタである。エアフィルタ６１は、その左右両端をフィルタガイド６２の溝部に挿入されて位置保持されている。片側のフィルタガイド６２の熱交換器５５側には、横方向にスリット状に開口したセンサ挿入部６３が設けられていて、そのセンサ挿入部６３に、居室の温度を検出する温度センサ６４が設けられている。
【０００５】
【発明が解決しようとする課題】
ところが、上記した従来の装置構成では、温度センサ６４が熱交換器５５の近傍に設けられているため、通常の運転状態では問題ないものの、送風を超微風にした場合や、温度調節器の動作時にクロスフローファン５４を停止する制御とした場合に、温度センサ６４が熱交換器５５の輻射熱の影響を受け、居室内の温度の検出精度が低下するという問題があった。
【０００６】
また、温度センサ６４の取り付け位置が電源箱６０から離れているため、この温度センサ６４のリード線をエアフィルタ６１を迂回して引き回す必要性があり、長いリード線が必要であるばかりでなく、組み立て作業性もよくないものとなっていた。
【０００７】
さらに、温度センサ６４の取り付け構造が、スリット状に開口したセンサ挿入部６３に単に挿入しただけであるため、先端部に誤って応力が加わると、温度センサ６４が脱落してしまうという問題があった。
【０００８】
本発明は上記問題を解決するもので、温度センサの室温検出精度が高く、かつ、組立作業性がよく、温度センサを確実に保持できるセンサ取り付け構造を有する空気調和機を提供することを目的とする。
【０００９】
【課題を解決するための手段】
上記課題を解決するために本発明は、温度センサをエアフィルタより下側で吸い込みグリルの内側近傍に設けることで、熱交換器より隔離するとともに、より居室空間に近い配置としたものである。
【００１０】
すなわち、請求項１に記載の発明は、居室内の２方向の壁のコーナーに密接して取り付けられ、下面の吸い込みグリルより吸い込む空気を、エアフィルタを通して熱交換器に送って温度調節し、前記壁に沿う方向の前面の吹き出し口から吹き出す空気調和機において、前記居室内の温度を検出するための温度センサを、前記熱交換器に背反するエアフィルタの一側に前記吸い込みグリルに近接して設け、前記温度センサを、この温度センサのリード線が導出される電装品を収納した電源箱の下部に設置し、前記温度センサの近傍で開口する空気流通穴を有して前記温度センサと前記電源箱とを被うカバーを配置し、尚且つ前記温度センサを、その感熱部に続くリード線が挿入される複数の下方開口溝が対向配置され前記下方開口溝に掛け渡されたリード線を下から支持する支持部を有し電源箱に取り付けられたセンサホルダに保持固定したものである。この構成をなすことにより、温度センサを熱交換器より隔離し、居室空間により近い配置とできるため、居室内の温度を精度よく検出することが可能になる。また、リード線長さが短くてすむため、温度センサの組立作業を容易に行なうことが可能になる。また、またカバーによって、温度センサの感熱部の触指を防止できるとともに、絶縁構造を確保できる。さらに、温度センサを良好かつ強固に保持固定できる。
【００１３】
【発明の実施の形態】
以下、本発明の実施の形態について図面を参照しながら説明する。
図１は本発明の一実施形態における空気調和機の本体を居室内に設置した状態を示す斜視図であり、図２は、同空気調和機本体の中央部の縦断面図である。
【００１４】
１は空気調和機本体であり、居室内の天井Ｓと２方向の壁Ｗ１，Ｗ２のコーナーに密接して取り付けられている。この空気調和機本体１は、水平断面が略扇形をし、下面に吸い込みグリル２を有し、円弧状の側面部に吹き出し口３を有している。４は送風を行うクロスフローファン、５は室内空気と冷媒の熱交換を行う熱交換器、６は熱交換器５の下方に設けられ凝縮水を処理する水受け皿である。クロスフローファン４が駆動機（図示なし）により回転すると、吸い込みグリル２の吸い込み口７から空気が吸入され、この空気が熱交換器５を経由して熱交換され、円弧状の吹き出し口３へと流れ、送風が行われる。
【００１５】
８は傾斜設置された熱交換器５の下側に設けられた整流板、９は内部の接続配管、１０は吹き出し口３に設けられた風向変更装置、１１は電装品を収納した電源箱、１２は吸い込みグリルと水受け皿６の間に設けられたエアフィルタである。電源箱１１は、吸い込みグリル２のほぼ中央に相応する位置に設けられており、エアフィルタ１２は、両側のフィルタガイド（図示なし）にガイドされて、電源箱１１と整流板８の間に挿入されている。
【００１６】
電源箱１１の側方には、居室の温度を検出する温度センサ１３がセンサホルダ１４により保持して設置されており、これら、電源箱１１、接続配管９、温度センサ１３を被う化粧カバー１５が設けられている。温度センサ１３近傍の化粧カバー１５の下面および側面には複数のスリット１６が設けられており、温度センサ１３は、これらのスリット１６を介して吸い込みグリル７に近接している。
【００１７】
さらに詳細に説明する。図３は、空気調和機本体１から吸い込みグリル２とエアフィルタ１２を取り外して下方から見た斜視図、図４は、電源箱１１と化粧カバー１５の分解斜視図、図５は、電源箱１１の温度センサ１３設置部分の拡大図である。
【００１８】
センサホルダ１４は、ほぼ四角筒形をなし電源箱１１の側面下部に取り付けられており、下方に開口したセンサ挿入溝１７，１８を対向配置し、センサ挿入溝１７，１８の間に、水平方向のセンサ支持片１９を配置したものである。挿入溝１７、１８は温度センサ１３のリード線２０より少し狭い幅、支持片１９は、挿入溝１７，１８に続く下端開口が両側に、温度センサ１３のリード線２０より少し広い幅にて残る寸法、とされている。
【００１９】
このようなセンサホルダ１４に、温度センサ１３が、先端の感熱部２１がホルダ外に露出しリード線２０が挿入溝１７、１８に挿入され支持片１９により下方より支持された状態で保持されている。つまり、温度センサ１３は、挿入溝１７、１８に案内され支持片１９で保持された形で固定されている。
【００２０】
したがって、クロスフローファン４による送風時には、吸い込みグリル７から吸い込まれた室内空気の一部がスリット１６を通じ化粧カバー１５内で流通して温度センサ１３の感熱部２１に接触し、その結果、室内温度が検出される。
【００２１】
このとき、上記したようにして、温度センサ１３を吸い込みグリル７の近傍内側に設け、熱交換器５との距離を遠ざけているので、送風状態が超微風であったり、温度調節器の動作時にクロスフローファン４を停止する制御とした場合も、熱交換器５の輻射熱の影響を受けることはなく、居室内の温度を精度よく検出できる。
【００２２】
また、温度センサ１３を化粧カバー１５内でスリット１６に対応させて設けているので、化粧カバー１５によって温度センサ１３の二重絶縁構造を確保できるだけでなく、この化粧カバー１５によって電源箱１１や接続配管９の露出をも回避することができ、従来機に比べて美観が向上する。
【００２３】
さらに、温度センサ１３を電源箱１１の側方に設けているので、温度センサ１３のリード線２０の引き回し距離が短く、長いリード線は不要であり、従来機に比べて組立時の作業性も向上する。しかも、センサホルダ１４に上記したような挿入溝１７、１８と支持片１９とを設けているので、温度センサ１３の取り付け状態を良好に維持できるのみならず、感熱部２１に誤って応力が加わっても、支持片１９が抜け止めとなるため温度センサ１３は容易に脱落することはなく、固定強度を確保できる。
【００２４】
なお、電源箱１１の側方に十分な空間がない場合は、上記した構成よりも組立作業性が幾分劣ることになるが、電源箱１１の下面にセンサホルダ１４を取り付けても同様の効果が得られる。
【００２５】
【発明の効果】
以上のように本発明によれば、温度センサを、熱交換器に背反するエアフィルタの一側に吸い込みグリルに近接して設置するようにしたことにより、温度センサを熱交換器より遠ざけ、居室空間に近い配置とできるため、送風状態が超微風であったり、温度調節器の動作時に送風を停止する制御とした場合も、熱交換器の輻射熱の影響を受けることはなく、居室内の温度の検出精度を従来機より向上できる。
【００２６】
またこのような温度センサを、そのリード線が導出される電装品を収納した電源箱の下部に設置し、温度センサに対向する空気流通穴を有し温度センサと電源箱とを被うカバーを配置するようにしたことにより、短いリード線長さにてすみ、温度センサの組立作業性を容易にすることが可能になり、またカバーによって、感熱部の触指を防止でき、絶縁構造も確保できる。
【００２７】
さらにこのような温度センサを、そのリード線に相応する複数の下方開口溝と支持部とを有し電源箱に取り付けられたセンサホルダに保持固定するようにしたことにより、保持状態が安定するのみならず、先端の感熱部に誤って応力が加わった際も脱落を防止できる。
【図面の簡単な説明】
【図１】本発明の一実施形態における空気調和機の本体の外観斜視図
【図２】同空気調和機本体の中央部の縦断面図
【図３】同空気調和機本体より一部部品を外した状態を下方から示した斜視図
【図４】同空気調和機本体の要部の部分分解斜視図
【図５】同空気調和機本体の要部の拡大斜視図
【図６】従来の空気調和機の本体の外観斜視図
【図７】図６に示した空気調和機本体の中央部の縦断面図
【符号の説明】
１      空気調和機本体
２      吸い込みグリル
３      吹き出し口
４      クロスフローファン
５      熱交換器
11      電源箱
12      エアフィルタ
13      温度センサ
14      センサホルダ
15      化粧カバー
16      スリット（空気流通穴）
17，18  挿入溝（下方開口溝）
19      支持片（支持部）
20      リード線
21      感熱部
W1，W2  壁
【図１】
0004475793.tif 000002
【図２】
0004475793.tif 000003
【図３】
0004475793.tif 000004
【図４】
0004475793.tif 000005
【図５】
0004475793.tif 000006
【図６】
0004475793.tif 000007
【図７】
0004475793.tif 000008